(57)【要約】【課題】家庭用薄葉紙を取り出し易く収納することができる家庭用薄葉紙収納容器を実現する。【解決手段】この家庭用薄葉紙収納容器１００であれば、容器本体１０内で突出部４０に寄り掛かるように収納された家庭用薄葉紙Ｐは、後面部１０ａとの間に隙間ができた状態で収納されており、その隙間を利用して家庭用薄葉紙Ｐの端を掴み易くなっているので、好適に家庭用薄葉紙Ｐを掴んで取り出すことができる。また、家庭用薄葉紙収納容器１００に収納された家庭用薄葉紙Ｐの束が凸状に湾曲するように撓んだことで、複数枚の家庭用薄葉紙Ｐの間に隙間ができるので、家庭用薄葉紙Ｐを１枚ずつ取り出し易くなっている。【選択図】図５
2020104897.tif 000002
【特許請求の範囲】
【請求項１】
上部に開口部が設けられ、複数の家庭用薄葉紙が前後方向に積層されて収納される容器本体と、
前記容器本体の後面部側に回動可能に設けられ、前記開口部を開閉自在とする蓋体と、
を備えた家庭用薄葉紙収納容器であって、
前記容器本体の後面部の幅方向略中央には、前記容器本体の前面部に向かって突き出している突出部が設けられていることを特徴とする家庭用薄葉紙収納容器。
【請求項２】
前記突出部は、前記容器本体の上部側から底部に向かって前後方向に拡幅しているとともに左右方向に拡幅した形状を有していることを特徴とする請求項１に記載の家庭用薄葉紙収納容器。
【請求項３】
前記突出部は、前記容器本体の前記前面部に曲面を向けた略半円柱形状を有していることを特徴とする請求項１に記載の家庭用薄葉紙収納容器。
【請求項４】
前記突出部は、前記容器本体の前記後面部を前記前面部に向けて凹ませた態様に形成されていることを特徴とする請求項１〜３のいずれか一項に記載の家庭用薄葉紙収納容器。
【請求項５】
前記突出部は、前記容器本体の前記後面部の内壁面から前記前面部に向けて突き出した板状の突片によって構成されていることを特徴とする請求項１に記載の家庭用薄葉紙収納容器。
【請求項６】
前記蓋体を前記容器本体から離間させる方向に付勢する樹脂製の板バネが設けられていることを特徴とする請求項１〜５のいずれか一項に記載の家庭用薄葉紙収納容器。
【発明の詳細な説明】
【技術分野】
【０００１】
本発明は、家庭用薄葉紙収納容器に関する。
【背景技術】
【０００２】
従来、家屋の床やトイレ、または人体などを拭くためのウェットシートやウェットティッシュなどの家庭用薄葉紙を収納する収納容器が知られている（例えば、特許文献１参照。）。
この収納容器には積層された複数枚の家庭用薄葉紙が収納されるようになっており、収納容器の蓋を開けて、上側の家庭用薄葉紙から順に取り出すことができるようになっている。
【先行技術文献】
【特許文献】
【０００３】
【特許文献１】特開平１０−１０１１０６号公報
【発明の概要】
【発明が解決しようとする課題】
【０００４】
しかしながら、収納容器に積層された状態で収納されている家庭用薄葉紙の端が、その収納容器の内面に接していたりすると、家庭用薄葉紙の端を掴み難く、取り出し難いことがあるという問題があった。
また、家庭用薄葉紙の端を掴み難いために、一度に掴んでしまった２〜３枚の家庭用薄葉紙を取り出してしまうことがあるという問題があった。
【０００５】
本発明の目的は、家庭用薄葉紙を取り出し易く収納することができる家庭用薄葉紙収納容器を提供することである。
【課題を解決するための手段】
【０００６】
以上の課題を解決するため、請求項１に記載の発明は、
上部に開口部が設けられ、複数の家庭用薄葉紙が前後方向に積層されて収納される容器本体と、
前記容器本体の後面部側に回動可能に設けられ、前記開口部を開閉自在とする蓋体と、
を備えた家庭用薄葉紙収納容器であって、
前記容器本体の後面部の幅方向略中央には、前記容器本体の前面部に向かって突き出している突出部が設けられていることを特徴とする。
このような家庭用薄葉紙収納容器であれば、容器本体内で突出部に寄り掛かるように収納された家庭用薄葉紙は、後面部との間に隙間ができた状態で収納されており、その隙間を利用して家庭用薄葉紙の端を掴み易くなっているので、好適に家庭用薄葉紙を掴んで取り出すことができる。
【０００７】
請求項２に記載の発明は、請求項１に記載の家庭用薄葉紙収納容器において、
前記突出部は、前記容器本体の上部側から底部に向かって前後方向に拡幅しているとともに左右方向に拡幅した形状を有していることを特徴とする。
【０００８】
請求項３に記載の発明は、請求項１に記載の家庭用薄葉紙収納容器において、
前記突出部は、前記容器本体の前記前面部に曲面を向けた略半円柱形状を有していることを特徴とする。
【０００９】
請求項４に記載の発明は、請求項１〜３のいずれか一項に記載の家庭用薄葉紙収納容器において、
前記突出部は、前記容器本体の前記後面部を前記前面部に向けて凹ませた態様に形成されていることを特徴とする。
【００１０】
請求項５に記載の発明は、請求項１に記載の家庭用薄葉紙収納容器において、
前記突出部は、前記容器本体の前記後面部の内壁面から前記前面部に向けて突き出した板状の突片によって構成されていることを特徴とする。
【００１１】
請求項６に記載の発明は、請求項１〜５のいずれか一項に記載の家庭用薄葉紙収納容器において、
前記蓋体を前記容器本体から離間させる方向に付勢する樹脂製の板バネが設けられていることを特徴とする。
【発明の効果】
【００１２】
本発明によれば、家庭用薄葉紙を取り出し易く収納することができる家庭用薄葉紙収納容器が得られる。
【図面の簡単な説明】
【００１３】
【図１】本実施形態の家庭用薄葉紙収納容器の蓋体が開けられた状態を示す前方斜視図である。
【図２】本実施形態の家庭用薄葉紙収納容器の蓋体が開けられた状態を示す後方斜視図である。
【図３】本実施形態の家庭用薄葉紙収納容器の蓋体が閉められた状態を示す前方斜視図である。
【図４】本実施形態の家庭用薄葉紙収納容器の蓋体が閉められた状態を示す後方斜視図である。
【図５】図１のV−V線における断面図であり、容器内部に複数の家庭用薄葉紙が収納されている状態を示している。
【図６】図２のVI−VI線における断面図であり、容器内部に複数の家庭用薄葉紙が収納されている状態を示している。
【図７】家庭用薄葉紙収納容器の変形例を示す前方斜視図である。
【図８】家庭用薄葉紙収納容器の変形例を示す後方斜視図である。
【図９】家庭用薄葉紙収納容器の変形例を示す前方斜視図である。
【図１０】家庭用薄葉紙収納容器の変形例を示す後方斜視図である。
【発明を実施するための形態】
【００１４】
以下、図面を参照して、本発明に係る家庭用薄葉紙収納容器の実施形態について詳細に説明する。但し、以下に述べる実施形態には、本発明を実施するために技術的に好ましい種々の限定が付されているが、本発明の範囲を以下の実施形態及び図示例に限定するものではない。
なお、以下においては、図１〜図４に示すように、前後方向、左右方向及び上下方向を定めて説明する。すなわち、家庭用薄葉紙収納容器１００の蓋体２０が備えられた側を「上」、その反対側を「下」、容器本体１０と蓋体２０とが接続されている側を「後」、その反対側を「前」、容器の前面を正面視した状態における右手側を「右」、容器の前面を正面視した状態における左手側を「左」とする。
【００１５】
［実施形態の構成］
｛全体構成｝
本実施形態の家庭用薄葉紙収納容器１００は、例えば、図１〜図６に示すように、上部に開口部１０ｃが設けられ、前後方向に積層された複数枚の家庭用薄葉紙Ｐを収納するための容器本体１０と、容器本体１０の後面部１０ａ側に回動可能に備えられ、開口部１０ｃを開閉自在とする蓋体２０と、容器本体１０の後面部１０ａに設けられている突出部４０と、を備えている。
【００１６】
［容器本体および蓋体］
この家庭用薄葉紙収納容器１００は、容器本体１０に対し蓋体２０が閉じられた状態で、その内部にウェットシートやウェットティッシュなどの家庭用薄葉紙Ｐを収容する筐体状の容器である。
なお、容器本体１０と蓋体２０は、ＰＰ（ポリプロピレン）、ＡＢＳ（アクリロニトリル・ブタジエン・スチレン）、ＰＥ（ポリエチレン）、ＰＰとＰＥの混合体などの樹脂が、ブロー成形、射出成形（コールドランナー、ホットランナー）など一般的な製造方法によって成形される。
また、容器本体１０と蓋体２０とで構成されている家庭用薄葉紙収納容器１００は、前後方向に好ましくは９０ｍｍから１５０ｍｍ、さらに好ましくは１００ｍｍから１２０ｍｍ、左右方向に好ましくは１００ｍｍから２００ｍｍ、さらに好ましくは１４０ｍｍから１６０ｍｍ、上下方向に好ましくは６０ｍｍから１３０ｍｍ、さらに好ましくは９０ｍｍから１１０ｍｍの大きさとなるように形成されている。また、各面の厚みは、好ましくは０．５ｍｍから３ｍｍ、さらに好ましくは１ｍｍから２ｍｍである。
この大きさ及び厚みであれば、実使用に問題ない強度を達成し、好適に家庭用薄葉紙Ｐを収容することができる。
【００１７】
容器本体１０の後面部１０ａの開口部１０ｃ近傍には、容器ヒンジ部１１が形成されており、蓋体２０の後面側には、蓋ヒンジ部２１が形成されている。
例えば、容器ヒンジ部１１の軸穴（図示省略）に蓋ヒンジ部２１の軸突起（図示省略）を係入して、容器ヒンジ部１１と蓋ヒンジ部２１とを組み付けることによって、容器ヒンジ部１１と蓋ヒンジ部２１とが連結されてなるヒンジ機構部３３が構成される。
このヒンジ機構部３３を介して、蓋体２０が容器本体１０に対して回動可能に配設されている。
また、収納容器の内側のヒンジ機構部３３の近傍には、例えば、樹脂製の板バネである付勢部材（図示省略）が配設されている。
この付勢部材が蓋体２０を容器本体１０から離間させる方向に付勢することで、蓋体２０がヒンジ機構部３３を軸心に回動するように押し上げられて開口部１０ｃが開くようになっている。樹脂製の板バネである付勢部材は、例えば、容器本体１０の内面に設けられているバネ固定部に取り付けられている。
【００１８】
容器本体１０の前面部１０ｂの開口部１０ｃ近傍には、係合部１３が形成されており、蓋体２０の前面側には、係止部２３が形成されている。
そして、蓋体２０の前面側が容器本体１０の前面部１０ｂに接触された際に、係合部１３が係止部２３と係合することにより、蓋体２０が容器本体１０側に保持されて、開口部１０ｃを閉じるようになっている。
【００１９】
また、容器本体１０の前面部１０ｂであって係合部１３の近傍には、前方に突出する挟持部１２が設けられており、挟持部１２には、係合解除部材１４がその配置を変更可能に軸支されて配設されている。
そして、係合解除部材１４と挟持部１２を挟持すると、係合解除部材１４の一端部１４ａが挟持部１２に近接する方向に揺動する。このように係合解除部材１４を揺動させるようにその配置を変更させると、係合解除部材１４の他端部１４ｂが蓋体２０の押上突起２４を押し上げて、係止部２３と係合部１３の係合が解除されるようになっている。
つまり、係合解除部材１４と挟持部１２を挟持して、係合解除部材１４を揺動させることにより、係止部２３と係合部１３の係合を解除すると、付勢部材（図示省略）の付勢力によって、蓋体２０が押し上げられて開くようになっている。
【００２０】
また、容器本体１０の開口部１０ｃの周縁部４には、容器本体１０に対し蓋体２０が閉じられた際に、蓋体２０の周縁部３が嵌入する溝部５が形成されている。
容器本体１０の周縁部４の溝部５に、蓋体２０の周縁部３が嵌入した際、溝部５の内面に周縁部３の外面が密着するようになっている。
そして、容器本体１０の開口部１０ｃを閉じるように蓋体２０を閉め、蓋体２０の周縁部３が溝部５に嵌入した際、開口部１０ｃの全周に亘って溝部５の内面と周縁部３の外面が密着することで、容器本体１０と蓋体２０の間を密封することができるので、家庭用薄葉紙収納容器１００の密閉性を確保することができる。
【００２１】
［突出部］
特に、この家庭用薄葉紙収納容器１００における容器本体１０の後面部１０ａの幅方向略中央には、容器本体１０の前面部１０ｂに向かって突き出している突出部４０が設けられている。
この突出部４０は、容器本体１０の上部側から底部１０ｄに向かって前後方向に拡幅しているとともに左右方向に拡幅した形状を有している。換言すれば、この突出部４０は、容器本体１０の内側で後面部１０ａと底部１０ｄに接した状態の略四角錐台形状を有している。
また、この突出部４０は、容器本体１０の後面部１０ａを前面部１０ｂに向けて凹ませた態様に形成されている。なお、容器本体１０の後面部１０ａが凹まされて形成された凹部空間は、略四角錐台形状を呈している。
なお、突出部４０は、前後方向に好ましくは３ｍｍから２０ｍｍ、さらに好ましくは３ｍｍから１０ｍｍ、左右方向に好ましくは１５ｍｍから６０ｍｍ、さらに好ましくは２０ｍｍから４０ｍｍ、上下方向に好ましくは３０ｍｍから９０ｍｍ、さらに好ましくは６０ｍｍから７５ｍｍのサイズを有するように形成されている。
また、この突出部４０の左右方向の幅は、上部よりも底部１０ｄ側の下部の方が広く形成されており、好ましくは２０％から６０％、さらに好ましくは３０％から５０％広く形成されている。
また、この突出部４０の前面は前方に向かって下る傾斜面に形成されており、その前面が底部１０ｄと成す角度は、好ましくは５０°から８５°、さらに好ましくは６０°から８０°であるように形成されている。
【００２２】
このような突出部４０が設けられている家庭用薄葉紙収納容器１００（容器本体１０）に、前後方向に積層された複数枚の家庭用薄葉紙Ｐを収納した場合、例えば、図５、図６に示すように、容器本体１０に収納した家庭用薄葉紙Ｐの束が突出部４０に寄り掛かるようになる。
そして、容器本体１０内で突出部４０に寄り掛かるように収納された家庭用薄葉紙Ｐの束は、前面部１０ｂ側に凸に撓んだ状態であって、後面部１０ａとの間に隙間ができた状態で収納されるようになる。
なお、この突出部４０が、容器本体１０の上部側から底部１０ｄに向かって前後方向に拡幅しているとともに左右方向に拡幅した形状を有していることで、家庭用薄葉紙Ｐの束が突出部４０に寄り掛かり易くなっており、突出部４０に寄り掛かった家庭用薄葉紙Ｐの束が撓み易くなっている。
また、家庭用薄葉紙Ｐの束が凸状に湾曲するように撓んだことで、複数枚の家庭用薄葉紙Ｐの間にも隙間ができるようになる。
【００２３】
［実施形態の効果］
このように、本実施形態の家庭用薄葉紙収納容器１００であれば、容器本体１０内で突出部４０に寄り掛かるように収納された家庭用薄葉紙Ｐは、後面部１０ａとの間に隙間ができた状態で収納されているので、その隙間を利用して家庭用薄葉紙Ｐの端を掴み易くなっている。
つまり、この家庭用薄葉紙収納容器１００に収納されている家庭用薄葉紙Ｐは、その家庭用薄葉紙Ｐの端を掴み易くなっているので、好適に家庭用薄葉紙Ｐを掴んで取り出すことができる。
更に、家庭用薄葉紙収納容器１００に収納された家庭用薄葉紙Ｐの束が凸状に湾曲するように撓んだことで、複数枚の家庭用薄葉紙Ｐの間に隙間ができるので、家庭用薄葉紙Ｐを１枚ずつ取り出し易くなっている。
また、家庭用薄葉紙Ｐの束が突出部４０に寄り掛かるように斜めに収納されていると、容器本体１０の前面部１０ｂと家庭用薄葉紙Ｐとの間に空間ができるので、掴んだ家庭用薄葉紙Ｐを容器本体１０の前面部１０ｂ側に引き寄せるように取り出し易くなっている。
以上のように、この家庭用薄葉紙収納容器１００であれば、家庭用薄葉紙Ｐを取り出し易く収納することができる。
【００２４】
［変形例］
なお、本発明は上記実施形態に限られるものではない。
例えば、図７、図８に示すように、家庭用薄葉紙収納容器１００における容器本体１０の後面部１０ａの幅方向略中央に設けられている突出部４０は、容器本体１０の前面部１０ｂに曲面を向けた略半円柱形状を有しているものでもよい。
この突出部４０は、容器本体１０の後面部１０ａを前面部１０ｂに向けて凹ませた態様に形成されており、容器本体１０の後面部１０ａが凹まされて形成された凹部空間は、略半円柱形状を呈している。
この突出部４０が、容器本体１０の前面部１０ｂに曲面を向けた略半円柱形状を有していることで、家庭用薄葉紙Ｐの束が突出部４０に寄り掛かり易くなっており、突出部４０に寄り掛かった家庭用薄葉紙Ｐの束が撓み易くなっている。
なお、この突出部４０は、半径が好ましくは１０ｍｍから４０ｍｍ、さらに好ましくは１５ｍｍから２５ｍｍ、高さが好ましくは３０ｍｍから９０ｍｍ、さらに好ましくは６０ｍｍから７５ｍｍのサイズを有する略半円柱形状に形成されている。
このような略半円柱形状の突出部４０が設けられている家庭用薄葉紙収納容器１００であっても、容器本体１０内で突出部４０に寄り掛かるように収納された家庭用薄葉紙Ｐは、撓んだ状態であるとともに、後面部１０ａとの間に隙間ができた状態で収納されるようになる。
つまり、略半円柱形状の突出部４０が設けられている家庭用薄葉紙収納容器１００であっても、上述したように、家庭用薄葉紙Ｐを取り出し易く収納することができる。
【００２５】
また、図９、図１０に示すように、家庭用薄葉紙収納容器１００における容器本体１０の後面部１０ａの幅方向略中央に設けられている突出部５０は、容器本体１０の後面部１０ａの内壁面から前面部１０ｂに向けて突き出した板状の突片によって構成されているものでもよい。ここでの突出部５０は、一対の板状の突片によって構成されている。
なお、この突出部５０を構成する板状の突片は、容器本体１０の上部側から底部１０ｄに向かって前後方向に拡幅した形状を有している。
なお、この突出部５０は、前後方向に好ましくは３ｍｍから２０ｍｍ、さらに好ましくは３ｍｍから１０ｍｍ、上下方向に好ましくは３０ｍｍから９０ｍｍ、さらに好ましくは６０ｍｍから７５ｍｍ、厚みが好ましくは３ｍｍから１５ｍｍ、さらに好ましくは５ｍｍから１０ｍｍのサイズを有する板状に形成されている。
また、この突出部５０は略台形状を呈する板状の突片であって、その前端が底部１０ｄと成す角度は、好ましくは５０°から８５°、さらに好ましくは６０°から８０°であるように形成されている。
このような板状の突出部５０が設けられている家庭用薄葉紙収納容器１００であっても、容器本体１０内で突出部５０に寄り掛かるように収納された家庭用薄葉紙Ｐは、撓んだ状態であるとともに、後面部１０ａとの間に隙間ができた状態で収納されるようになる。
つまり、板状の突出部５０が設けられている家庭用薄葉紙収納容器１００であっても、上述したように、家庭用薄葉紙Ｐを取り出し易く収納することができる。
【００２６】
なお、以上の実施の形態においては、容器本体１０の後面部１０ａを前面部１０ｂに向けて凹ませた態様に形成した突出部４０を例に説明したが、本発明はこれに限定されるものではなく、例えば、略四角錐台形状を有する部材や略半円柱形状を有する部材を容器本体１０の後面部１０ａに配設してなる突出部４０を設けるようにしてもよい。
【００２７】
また、その他、具体的な細部構造等についても適宜に変更可能であることは勿論である。
【符号の説明】
【００２８】
１０    容器本体
１０ａ  後面部
１０ｂ  前面部
１０ｃ  開口部
１０ｄ  底部
２０    蓋体
４０    突出部
５０    突出部
１００  家庭用薄葉紙収納容器
Ｐ      家庭用薄葉紙
【図１】
2020104897.tif 000003
【図２】
2020104897.tif 000004
【図３】
2020104897.tif 000005
【図４】
2020104897.tif 000006
【図５】
2020104897.tif 000007
【図６】
2020104897.tif 000008
【図７】
2020104897.tif 000009
【図８】
2020104897.tif 000010
【図９】
2020104897.tif 000011
【図１０】
2020104897.tif 000012